Podtech/llm-jp-corpus-v4-ja_patent huggingface dataset:
(57)【要約】      （修正有）【課題】優れた支持機能を有するとともに、使用者の腰部に密着することができ、より快適な感覚を与える骨型腰枕を提供する。【解決手段】本体を含み、本体は横置きの正三角柱であり、各側稜はいずれも内側へ凹んだ円弧形であり、人の腰部に密着しやすく、各円弧形の側稜の所在する平面は本体の中軸線と交差しており、本体は表層と充填物を含み、表層は防水織物により製造されており、本体が弾性を有するように、充填物は軟質材料である。本考案は設計が合理的で、構造が簡単であり、使用しやすく、腰部に置くことができ、優れた支持機能を有するだけでなく、腰部にしっかり密着することができ、より快適な感覚を与える。同時に、表面が防水であるため、ぬれた布で拭く方式により清潔にすることができ、長期使用に有利である。【選択図】図１
0003218099.tif 000002
【実用新案登録請求の範囲】
【請求項１】
骨型腰枕であって、本体を含み、
前記本体は横置きの正三角柱であり、人の腰部に密着しやすいように、各側稜はいずれも内側へ凹んだ円弧形であり、
各円弧形の側稜の所在する平面は前記本体の中軸線と交差しており、
前記本体は表層と充填物を含み、
前記表層は防水織物により製造されており、
前記本体が弾性を有するように、前記充填物は軟質材料である、
ことを特徴とする骨型腰枕。
【請求項２】
前記側稜の円弧の角度は１２０〜１５０°であり、該円弧の直径は前記本体の長さに相当する、ことを特徴とする請求項１に記載の骨型腰枕。
【請求項３】
前記表層はＰＵ複合膜がＰＵＲ接着剤により全ポリエステル織物に接着されてなり、防水機能を有する、ことを特徴とする請求項１に記載の骨型腰枕。
【請求項４】
前記充填物はシリコン含有化学繊維である、ことを特徴とする請求項１に記載の骨型腰枕。
【考案の詳細な説明】
【技術分野】
【０００１】
本考案は生活用品に関し、特に腰部ケアに適用する枕に関し、具体的には骨型（Ｂｏｎｅ  ｔｙｐｅ）腰枕に関する。
【背景技術】
【０００２】
腰部に不快感のある人々に対し、腰部に枕を置くことにより、不快感を軽減することができる。しかし、普通の枕は柔らか過ぎて、支持の役割が明らかでなく、あるいは、硬すぎて、腰部に密着することができず、快適でない。したがって、腰部を効果的に支持できるとともに、腰部にしっかり密着することができ、市場の需要を十分に満足できる枕を設計する必要がある。
【考案の概要】
【考案が解決しようとする課題】
【０００３】
本考案は、従来の腰部改善用枕における問題点に鑑みてなされたものであって、優れた支持機能を有するとともに、使用者の腰部に密着することができ、より快適な感覚を与える骨型腰枕を提供することを目的とする。
【課題を解決するための手段】
【０００４】
上記の目的を達成するための本考案に係る骨型腰枕は、本体を含み、
前記本体は横置きの正三角柱であり、人の腰部に密着しやすいように、各側稜はいずれも内側へ凹んだ円弧形であり、
各円弧形の側稜の所在する平面は前記本体の中軸線と交差しており、
前記本体は表層と充填物を含み、
前記表層は防水織物により製造されており、
前記本体が弾性を有するように、前記充填物は軟質材料である。
【０００５】
さらに、前記側稜の円弧の角度は１２０〜１５０°であり、該円弧の直径は前記本体の長さに相当する。
【０００６】
さらに、前記表層はＰＵ（ポリウレタン）複合膜がＰＵＲ（ポリウレタン）接着剤により全ポリエステル織物に接着されてなり、防水機能を有する。
【０００７】
さらに、前記充填物はシリコン含有化学繊維である。
【考案の効果】
【０００８】
本考案は、設計が合理的で、構造が簡単であり、使用しやすく、腰部に置くことができ、優れた支持機能を有するだけでなく、腰部にしっかり密着することができ、より快適な感覚を与える。同時に、表面が防水加工であるため、ぬれた布で拭く方式により清潔にすることができ、長期使用に有利である。
【図面の簡単な説明】
【０００９】
【図１】本考案の構造を示す図である。
【考案を実施するための形態】
【００１０】
以下、図面および実施例を参照しながら、本考案に対しさらに説明する。
図１に示すように、骨型腰枕であって、本体を含み、上記本体は横置きの正三角柱であり、各側稜はいずれも内側へ凹んだ円弧形であるため、その外形は骨状を呈し、人の腰部に密着しやすく、各円弧形の側稜の所在する平面は上記本体の中軸線と交差するため、その外形を規範にし、随意に置くことに適し、上記本体は表層と充填物を含み、上記表層は防水織物により製造され、上記本体が弾性を有し、人の腰部に密着しやすくするために、上記充填物は軟質材料である。
【００１１】
上記側稜の円弧の角度は１２０〜１５０°であり、該円弧の直径が上記本体の長さに相当するため、人の腰部の形状に一致する。
【００１２】
上記表層はＰＵ複合膜をＰＵＲ接着剤により全ポリエステル織物に接着されてなり、優れた防水機能を有し、拭く方式により清潔にすることに便利である。
【００１３】
上記充填物はシリコン含有化学繊維であり、柔らかくて快適である。
【００１４】
本考案は形状が規範で均質であり、方向を調整する必要なく、非常に使用しやすい。そして、使用者の腰部にしっかり密着することができ、支持すると同時に、感覚が快適である。
【００１５】
本考案に関わっていない部分は、いずれも従来技術と同じく、又は従来技術を採用して実現することができる。
【図１】
0003218099.tif 000003
(57)【要約】      （修正有）【課題】信号機がない横断歩道において、自動車等（二輪車も含む）の停止違反による歩行者と自動車等との交通事故を防止するシステムを提供する。【解決手段】信号機がない横断歩道の手前に設置された感知装置２に人が立止まった際、感知センサー（圧力センサー２ａもしくは赤外線センサー２ｂ）が機能して赤色点滅灯３ａや警告音を発生する警報装置３が機能して自動車等（二輪車も含む）に停止を促すことで歩行者と自動車等との交通事故を防止すると共に、監視カメラ装置６が機能して歩行者と自動車等とのひき逃げ事故を録画することで交通事故事件も解決する。【選択図】図１
0003218035.tif 000002
【実用新案登録請求の範囲】
【請求項１】
信号機が設置されていない横断歩道の手前に設置した人を感知する感知機能、人を感知することにより赤色点滅灯や警告音を発生する警報装置が作動して自動車等（二輪車も含む）を停止するよう促す警報機能、監視カメラ装置が機能して歩行者と自動車等とのひき逃げ事故を録画する録画機能、ソーラーパネルで起電した電気を蓄電池装置に充電する充電機能を有する横断歩道における交通事故防止システム。
【考案の詳細な説明】
【技術分野】
【０００１】  本考案は、横断歩道における交通事故防止システムを設置することにより、信号機が設置されていない横断歩道において歩行者と自動車等（二輪車も含む）との交通事故を防止するための交通事故防止システムに関するものである。尚、本願の説明において、横断歩道における交通事故防止システムと交通事故防止システムとは同義語であって、以下の説明では、本願の横断歩道における交通事故防止システムを単に交通事故防止システムと表現することがある。
【背景技術】
【０００２】  信号機が設置されていない横断歩道では、自動車等の停止違反のために歩行者と自動車等との交通事故が多くの件数発生している。
【先行技術文献】
【０００３】
【特許文献】
【考案の概要】
【考案が解決しようとする課題】
【０００４】  本考案は、信号機が設置されていない横断歩道において自動車等の停止違反のために歩行者と自動車等との交通事故を防止するため赤色灯の点滅や警告音を発生させることで自動車等に停止を促すことにより交通事故を防止する交通事故防止システムを提供することで前述の問題の解決を目的とするものである。
【課題を解決するための手段】
【０００５】  本考案は、上記課題を解決するための手段として次の構成を有している。
信号機が設置されていない横断歩道に赤色灯の点滅や警告音を発生させる交通事故防止システムを横断歩道付近に設置することにより、自動車等に停止を促すことで交通事故を防止するシステムを特徴としている。【０００６】  上記の交通事故防止システムは、人を感知する感知装置と赤色点滅灯（ＬＥＤ灯もしくは赤色電球）や警告音を発生する警報装置と監視カメラ（赤外線機能やサイクル録画機能内蔵）装置とソーラーパネルと蓄電池装置を備える。【０００７】  上記の交通事故防止システムは、横断歩道の手前に設置された感知装置に人が立止まった際、感知センサー（圧力センサーもしくは赤外線センサー）が機能して、赤色点滅灯（ＬＥＤ灯もしくは赤色電球）と警告音を発生することにより、自動車等に停止を促すことで歩行者と自動車等との交通事故が起ることを解決できる。【０００８】  そして、監視カメラ（赤外線機能やサイクル録画機能内蔵）装置が機能して歩行者と自動車等とのひき逃げ事故を録画することで交通事故事件も解決できる。又、ソーラーパネルで起電した電気を蓄電池装置に充電することにより消費電力分を充分に確保することができる。
【考案の効果】
【０００９】  本考案の交通事故防止システムは、信号機が設置されていない横断歩道に簡易に設置することができ、高額で複雑な制御装置の必要な信号機の設置が要らず歩行者と自動車等との交通事故を防止できる効果がある。【００１０】  又、本考案の交通事故防止システムは、監視カメラ（赤外線機能やサイクル録画機能内蔵）装置が機能して歩行者と自動車等とのひき逃げ事故を録画することで交通事故事件の解決にも効果がある。
【図面の簡単な説明】
【００１１】
【図１】本考案の実施例を示す交通事故防止装置の平面及び側面展開図
【考案を実施するための形態】
【００１２】  以下、図１を参照して本考案の好適な実施例を説明すると、この実施例の交通事故防止システムは、信号機が設置されていない横断歩道に設置するものである。
【００１３】  図１にある交通事故防止システム１は、信号機が設置されていない横断歩道の手前に簡易に設置することができる。
又、警報装置にソーラーパネル４を取り付けることで交通事故防止システム１に内臓された蓄電池装置５に起電した電気を供給することができる。
【００１４】  図１にある交通事故防止システム１は、人を感知する感知装置２（圧力センサー２ａもしくは赤外線センサー２ｂ）により横断歩道の手前に立止まった人を感知する機能が作動して、赤色点滅灯（ＬＥＤ灯もしくは赤色電球３ａ）や警告音３ｂを発生する警報装置３が作動して自動車等の停止を促すことができる。又、監視カメラ（赤外線機能やサイクル録画機能内蔵）装置６が機能して歩行者と自動車等とのひき逃げ事故を録画することができる。
【符号の説明】
【００１５】１は交通事故防止システム、２は感知装置、３は警報装置、４はソーラーパネル、５は蓄電池装置、６は監視カメラ装置である。
【図１】
0003218035.tif 000003
【手続補正書】
【提出日】平成30年6月22日(2018.6.22)
【手続補正１】
【補正対象書類名】実用新案登録請求の範囲
【補正対象項目名】全文
【補正方法】変更
【補正の内容】
【実用新案登録請求の範囲】
【請求項１】
信号機が設置されていない横断歩道の手前に立止まった人を感知する感知装置と、人を感知することにより赤色点滅灯や警告音を発生し、二輪車を含む自動車に対して停止するよう促す警報装置と、歩行者と前記自動車とのひき逃げ事故を録画する機能を有する監視カメラ装置と、起電した電気を蓄電池装置に供給するソーラーパネルと、ソーラーパネルから供給された電気を充電する蓄電池装置とを有する横断歩道における交通事故防止システム。
(57)【要約】      （修正有）【課題】使い古し感を付与した合成皮革又は人工皮革を用いた革製品を提案する。【解決手段】ジャケット、ブルゾン、パンツ、シャツなどの衣料品や、バッグ、帽子、手袋、シューズなどの衣料雑貨の革製品において、製品を構成する合成皮革又は人工皮革２の表面２ａに、顔料又は／及び染料を吹き付けることにより、しわや汚れ等の使い古し感が感じられる意匠３，４を付与した。【選択図】図１
0003218039.tif 000002
【実用新案登録請求の範囲】
【請求項１】
製品を構成する合成皮革又は人工皮革の表面に、顔料又は／及び染料を吹き付けることにより、しわや汚れ等の使い古し感が感じられる意匠を付与したことを特徴とする革製品。
【考案の詳細な説明】
【技術分野】
【０００１】
本考案は、革製品に関するものである。
【背景技術】
【０００２】
例えば、ジーンズは、使用とともに、その表面にしわや汚れが付与されて使い古し感がでる。このような使い古し感のあるジーンズは、ファッションの一つとして需要がある。
【０００３】
しかし、ジーンズに、使い古し感を付与するためには、そのジーンズを長い年月使用する必要があるため、近年では、未使用のジーンズに、やすりをかけたり、サンドブラスト加工を施すなどして、色落ちやしわ等を付与するなどして、未使用の商品購入時において、その購入時から使い古し感（経年変化）を味わうことができるようにすることが行われている。
【考案の概要】
【考案が解決しようとする課題】
【０００４】
一方、合成皮革又は人工皮革を用いた革製品においては、それに用いられる合成皮革又は人工皮革の単価が高いことと、その滑らかな質感等が好まれて、消費者は合成皮革又は人工皮革を用いた革製品を購入していると考えられていたことから、未使用の革製品に、使い古し感を付与することは行われていなかった。
【０００５】
そこで、ジーンズと同様に、使い古し感を付与した合成皮革又は人工皮革を用いた革製品に需要があると推測して、そのような革製品を提案することを目的とするものである。
【課題を解決するための手段】
【０００６】
前記の課題を解決するために、請求項１記載の考案は、製品を構成する合成皮革又は人工皮革の表面に、顔料又は／及び染料を吹き付けることにより、しわや汚れ等の使い古し感が感じられる意匠をを付与したことを特徴とするものである。
【考案の効果】
【０００７】
本考案は、製品を構成する合成皮革又は人工皮革の表面に、顔料又は／及び染料を吹き付けることにより、使い古し感を付与したことにより、未使用の革製品においてもその製品の購入直後から経年変化を経たような感じを楽しむことができる。
【図面の簡単な説明】
【０００８】
【図１】本考案の実施例に係るジャケットの正面図。
【図２】図１の裏面図。
【考案を実施するための形態】
【０００９】
本考案の革製品は、ジャケット、ブルゾン、パンツ、シャツなどの衣料品、バッグ、帽子、手袋、シューズなどの衣料雑貨などの革製品に適用することができ、以下、ジャケットに適用した例に基づいて説明する。
【００１０】
図１は、本考案の実施例に係るジャケット１の正面図で、図２は裏面図である。
【００１１】
合成皮革又は人工皮革などを用いてジャケット１を縫製した後に、そのジャケット１の使用によりしわや汚れた感じ等がつくと思われる場所において、ジャケット１を構成する合成皮革又は人工皮革２の表面２ａに対して、手作業により、顔料又は／及び染料を吹き付けて、しわや汚れ等の使い古し感が感じられる意匠３，４を付与して、ジャケット１に使用等にによる経年変化を経た後に感じられる使い古し感を付加する。
【００１２】
本実施例では、吹き付け加工のみにより、ジャケット１に使い古し感を付加したが、吹き付け加工と他の加工方法と組み合わせて、ジャケット１により使い古し感を付与するようにしてもよい。
【００１３】
このように、ジャケット１に使い古し感を付与したことにより、製品の未使用の状態においても、製品の購入直後から経年変化をした使い古し感を楽しむことができ、高いファッション性を得ることができる。
【符号の説明】
【００１４】
１  ジャケット
２  合成皮革又は人工皮革
２ａ  表面
３，４  使い古し感が感じられる意匠
【図１】
0003218039.tif 000003
【図２】
0003218039.tif 000004
【手続補正書】
【提出日】平成30年7月12日(2018.7.12)
【手続補正１】
【補正対象書類名】実用新案登録請求の範囲
【補正対象項目名】全文
【補正方法】変更
【補正の内容】
【実用新案登録請求の範囲】
【請求項１】
ジャケット、ブルゾン、パンツ、シャツなどの衣料品や、バッグ、帽子、手袋、シューズなどの衣料雑貨などの革製品において、 前記革製品を構成する合成皮革又は人工皮革の表面には、顔料又は／及び染料の吹き付けによる、しわや汚れ等の使い古し感が感じられる意匠が付与されていることを特徴とする革製品。
【手続補正２】
【補正対象書類名】明細書
【補正対象項目名】０００６
【補正方法】変更
【補正の内容】
【０００６】  前記の課題を解決するために、請求項１記載の考案は ジャケット、ブルゾン、パンツ、シャツなどの衣料品や、バッグ、帽子、手袋、シューズなどの衣料雑貨などの革製品において、 前記革製品を構成する合成皮革又は人工皮革の表面には、顔料又は／及び染料の吹き付けによる、しわや汚れ等の使い古し感が感じられる意匠が付与されていることを特徴とするものである。
(57)【要約】      （修正有）【課題】光学セルを複数同時に自動乾燥させることにより、光学セルの乾燥時間が大幅に短縮され、より多くの研究・実験時間が確保できる乾燥機を提供する。【解決手段】筐体の上部に網を張り、その上に光学セルを置くためのプラスチックの格子を取り付ける。筐体内部は水滴除去用のプラスチック板を取り付ける。筐体の背面に取り付けたファンから風を送り、風は網の目を通って逆さまに設置された光学セル内に入り乾燥させる。ファン起動スイッチを押すと、ファンが自動起動しタイマーにより自動停止する。ファンを４台同時に起動できるが、選択スイッチにより乾燥機の左右のいずれか一方（２台）だけの運転も可能である。内部のプリント基板を保護するため、光学セルから水滴が垂れた場合、水滴は水滴除去用のプラスチック板を伝わって下部に集積される。【選択図】図１
0003218034.tif 000002
【実用新案登録請求の範囲】
【請求項１】
筐体の上部に網を張り、その上に光学セルを置くためのプラスチックの格子を取り付けて筐体の背面に取り付けたファンから風を送り、同時に複数の光学セルを乾燥させる機能を備えた乾燥機。
【請求項２】
ファンの運転台数を変えるための制御回路と所定時間作動させるためのタイマー機能を備えた乾燥機。
【請求項３】
内部のプリント基板を保護するため、光学セルから水滴が垂れた場合、水滴は水滴除去用のプラスチック板を伝わって下部に集積される機能を備えた乾燥機。
【考案の詳細な説明】
【技術分野】
【０００１】  本考案は、光学セルの自動乾燥機に関するものである。
【背景技術】
【０００２】  従来、光学セルは１つずつ自然乾燥またはヘアドライヤー等を使って乾燥させているため、乾燥に手間と時間がかかっていたという問題がある。
【考案の概要】
【考案が解決しようとする課題】
【０００３】  光学セルは試料の測定後洗浄して繰り返し使用するが、エタノールや水で洗浄後、多くの場合自然乾燥させている。急速乾燥が求められる場合は、ヘアドライヤー等を使用して１つずつ乾燥させている。試料数が多くなると、この乾燥待ち時間が実験や研究の時間を長期化させる要因となっている。従って、光学セルを自動で複数同時に乾燥させることでこの欠点を解決しようというものである。
【課題を解決するための手段】
【０００４】  本考案は、筐体の上部に網を張り、その上に光学セルを置くためのプラスチックの格子を取り付ける。筐体内部は水滴除去用のプラスチック板を取り付ける。筐体の背面に取り付けたファンから風を送り、風は網の目を通って逆さまに設置された光学セル内に入り乾燥させる。ファンは起動後タイマーにより自動停止する。乾燥させる光学セルの台数により、ファンの運転台数が変えられる。光学セルから水滴が垂れた場合、水滴は水滴除去用のプラスチック板を伝わって下部に集積される。これらにより問題点を解決している。
【考案の効果】
【０００５】  本考案によって、光学セルの乾燥時間が大幅に短縮され、より多くの研究・実験時間が確保できる。
【図面の簡単な説明】
【図１】本考案の光学セル乾燥機の実施例を示す正面図と背面図である。
【図２】本考案の光学セル乾燥機の筐体の展開図である。
【考案を実施するための形態】
【０００６】  筐体の前面板にメインスイッチ、ファン起動スイッチ、タイマー、ランプを取り付ける。次に、背面板にファンを取り付け、底板部分に電源、制御回路を取り付けて固定する。図２の展開図に従って筐体を組み立てた後、水滴除去用のプラスチック板を取り付ける。組み立てた筐体の上部に網を張り、その上に光学セル固定用のプラスチック格子を取り付ける。
【実施例】
【０００７】  以下、添付図面に従って実施例を説明する。８のメイン電源をＯＮにする。１のプラスチックの格子部分から２の網の上に光学セルを下向きに立てる。光学セルは格子の数だけ設置が可能。３は右側の運転用、５は左側の運転用スイッチで片側のみ、または両側運転の設定をする。運転状況に応じ、運転ランプ５、６が点灯する。７のタイマーで運転時間を設定し、９をＯＮにすると１１のファンが起動し、同時に１０の運転ランプが点灯する。
【符号の説明】
【０００８】  １  プラスチック格子
２  網
３  ファン運転スイッチ（右側）
４  ファン運転スイッチ（左側）
５  ファン運転ランプ（右側）
６  ファン運転ランプ（左側）
７  タイマー
８  メインスイッチ
９  ファン起動スイッチ
１０  運転ランプ
１１  ファン
【図１】
0003218034.tif 000003
【図２】
0003218034.tif 000004
【手続補正書】
【提出日】平成30年6月29日(2018.6.29)
【手続補正１】
【補正対象書類名】実用新案登録請求の範囲
【補正対象項目名】全文
【補正方法】変更
【補正の内容】
【実用新案登録請求の範囲】
【請求項１】
筐体の上部に網を張り、その上に光学セルを置くためのプラスチックの格子を取り付けて筐体の背面に取り付けたファンから風を送り、同時に複数の光学セルを乾燥させる機能を備えた乾燥機。
【請求項２】
ファンの運転台数を変えるための制御回路と所定時間作動させるためのタイマー機能を特徴とする請求項１に記載の乾燥機。
【請求項３】
内部のプリント基板を保護するため、光学セルから水滴が垂れた場合、水滴は水滴除去用のプラスチック板を伝わって下部に集積される機能を特徴とする請求項１に記載の乾燥機。
(57)【要約】      （修正有）【課題】書類をブァイリングする際のパンチによる穴あけと、ステープラーによる綴じ作業を一度の工程で同時に、または別々に行える連携作業器具を提供する。【解決手段】手押しレバー付きパンチ（一般的な２穴のもの）１０と手押し式ステープラー（１個または２個）１１を平面的に取り付け取り外し可能に配置し、それぞれの手押部を同時に押すことができるハンドル３，４，５を、回転用の軸６と軸受７を介して設け、書類への穴明けと綴じ作業が同時に、または別々にできる連携装置とした。【選択図】図４
0003218031.tif 000002
【実用新案登録請求の範囲】
【請求項１】
手押しレバー付きパンチと手持ちステープラーを同時または別々に装着し、それを押す構造の手押しハンドルを押すことにより、書類への穴明け作業と綴じ作業が同時または別々に行なえるパンチ、ステープラーの連携作業器具
【考案の詳細な説明】
【技術分野】
【０００１】  本考案は、パンチ（卓上穴あけ機）とステープラー（手動書類綴じ機）を装着し、書類にファイリングのための穴を明け、綴じる作業の連携操作装置に関するものである。
【背景技術】
【０００２】  本考案に使用されるパンチとステープラーは双方共に既存のもので、公知であるが、これらの器具を使っての書類への穴あけ作業とステープラーによる綴じる作業は、通常別々の工程で行われている。
【先行技術文献】
【０００３】
【特許文献１】特開２０００−３１７８９４
【特許文献２】実開平５−２６２９８
【考案の概要】
【考案が解決しようとする課題】
【０００４】  特許文献１によれば、パンチとステープラーを一体の位置関係に保持し、書類への穴あけ作業と綴じ作業を、順次行うことができるが、作業中に書類がずれる場合があった。
特許文献２によれば、パンチとステープラーを一体の位置関係に保持し、書類への穴あけ作業と綴じ作業を、同時に行うことができるが、ステープラーの位置調整や２か所ではなく片方だけの綴じ作業などの調整は困難であった。
【課題を解決するための手段】
【０００５】  本考案は、パンチとステープラーの連携装置を使用することによって、一度の工程で穴あけと綴じる作業行なえるようにした。【０００６】  また、本考案ではパンチまたはステープラーのどちらかを取り外すか、補助ハンドルが働かないようにすることにより、考案の連携操作装置を介して穴明けと綴じ作業を別々に行なうことをも可能としている。【０００７】  また、ステープラーにはＵ型綴じ針（細い金属片）を使用したものと、これを使用せず、綴じようとする書類の紙自体を部分的に切り込み、複数の紙を絡み合わせて綴じる方式のステープラー（ステープレスステープラー）にも適用が可能である。
【考案の効果】
【０００８】  本考案は、上記のようにパンチとステープラーをワンタッチで同時に作動させ、即ち１工程で穴明けと書類綴じを行なう連携作業、単独で穴明けを行なう作業、また、単独で書類綴じを行なう作業を行うことができる。
【図面の簡単な説明】
【０００９】
【図１】本考案に係るステープラーとパンチを装着するための補助器具の正面図
【図２】本考案にかかる図１に対する側面図
【図３】本考案パンチとステープラーを正着した状態を示す正面図
【図４】本考案にかかる図３の側面図
【図５】本考案のパンチを前にスライドし、穴あけとステープルによる綴じが同時に行えるようにした状態図
【図６】本考案のパンチを後にスライドし、ステープル綴じのみを行なえるようにした状態図
【考案を実施するための形態】
【００１０】  図３のように書類にファイリング用の穴と綴じ位置がほぼ一直線上になるようにステープラーとパンチを配置し、パンチのハンドルとステープラーのハンドルを同時に押し下げる一体構造の補助ハンドルを配置し、作動させる構造とした。
【００１１】本考案においては、書類に穴明けと綴じ作業を同時に行なえることによって時間が大幅に短縮されるとともに、書類が大量の場合は２人で行なうところを１人で行なえるようにして労力を削減できる。また、作業スペースも少なくて済む。
【００１２】さらに、穴明けが不要な場合は本器具からパンチを取り外すか、後方にスライドして操作ハンドルで、パンチが押せないようにして、書類綴じのみを行なえる構造にすることもできる。
また、穴明けのみ行なう場合は、本器具からステープラーを取り外して本器具で、パンチを作動させることができる。状況に応じて本装置から取り外したパンチあるいはステープラー単独で、それぞれの作業を行なうことができる。
【００１３】また、綴じ間隔を変えたい場合は、ステープラーの位置が変えられるように、ステープラー補助アームとステープラー収納枠を広くし、ステープラー位置調整スペーサーを設けた。
【００１４】図３及び図４は本考案に係る実施例を示す。図３または図４においてパンチ１０は中心位置に、ステープラー１１は左右に一つずつ配置している。
パンチ１０、ステープラー１１はそれぞれ工具等を使用せずに、所定の位置に籍単に取り付け、取り外しを行なうことができる。
【００１５】補助ハンドル３’４’５（一体構造）を上下に操作することにより、パンチ１０のハンドルが上下させられると同時にステープラー１１のハンドルも同時に上下させられ、補助ハンドル３，４，５が最下方に押し下げられたときに穴明けと綴じ込みが完了する。考案による補助器具で、パンチ、ステープラーをそれぞれ単独に操作する場合も動作は同じである。
【符号の説明】
【００１６】１．本考案に係る連携装置のベース
２．ステープラー収納枠
３．操作ハンドル
４．操作ハンドル兼ステープラー操作アーム
５．ステープラー操作補助アーム
６．操作ハンドル用の回転軸
７．軸受
８．ステープラー位置調整スベーサー
９．パンチ位置調整スペーサー
１０．パンチ
１１．ステープラー
【図１】
0003218031.tif 000003
【図２】
0003218031.tif 000004
【図３】
0003218031.tif 000005
【図４】
0003218031.tif 000006
【図５】
0003218031.tif 000007
【図６】
0003218031.tif 000008
【手続補正書】
【提出日】平成30年6月22日(2018.6.22)
【手続補正１】
【補正対象書類名】実用新案登録請求の範囲
【補正対象項目名】全文
【補正方法】変更
【補正の内容】
【実用新案登録請求の範囲】
【請求項１】
手押しレバー付きパンチを中央部に、手持ちステープラーをパンチの両側に装着し、パンチの手押しレバー部とステープラーの手持ち部を押す構造の手押しハンドルを押すことにより、書類への穴明け作業と綴じ作業が同時または別々に行なえるパンチ、ステープラーの連携作業器具であって、穴明けが不要な場合は本器具からパンチを取り外すか、後方にスライドして操作ハンドルで、パンチが押せないようにして、書類綴じのみを行なえる構造にすることもでき、また、穴明けのみ行なう場合は、本器具からステープラーを取り外して本器具で、パンチを作動させることができる、パンチ、ステープラーの連携作業器具。
(57)【要約】      （修正有）【課題】当月と翌月を常に同一紙面上に表示する２ヶ月カレンダーを提供する。【解決手段】写真又は絵画等を掲載又は非掲載の紙面に上下又は左右に月暦を２ヶ月表示し常に各ページに当月及び翌月を表示する。つまり、各月を重複して１２月まで表示することによって、何月何日でも常に各ページに当月と翌月を表示し、当月と翌月を同時に見ることが出来る。【選択図】図１
0003218036.tif 000002
【実用新案登録請求の範囲】
【請求項１】
写真又は絵画等を掲載又は非掲載の紙面に上下又は左右に月暦を２ヶ月表示し常に各ページに当月及び翌月を表示する。
つまり、各月を重複して表示することによって常に各ページに当月と翌月を表示する。
例、１ページに１２月（当月）と１月（翌月）を表示する。
２ページに１月（当月）と２月（翌月）を表示する。
３ページに２月（当月）と３月（翌月）を表示する。
このように各月を重複して１２月まで表示することで、当月と翌月を常に、同一紙面上に表示することができる２ヶ月カレンダー。
【考案の詳細な説明】
【技術分野】
【０００１】  写真又は絵画等を掲載又は非掲載の紙面に上下又は左右に月暦を２ヶ月表示し常に各ページに当月及び翌月を表示する。
つまり、各月を重複して表示することによって常に各ページに当月と翌月を表示する。
例、１ページに１２月（当月）と１月（翌月）を表示する。
２ページに１月（当月）と２月（翌月）を表示する。
３ページに２月（当月）と３月（翌月）を表示する。
このように各月を重複して１２月まで表示することで、当月と翌月を常に、同一紙面上に表示する。
【背景技術】
【０００２】  従来のカレンダーは、月毎の表示が殆んどであり、又、先月翌月を表示しているカレンダーも時にはあるが活字が小さく見にくかった。
【考案の概要】
【考案が解決しようとする課題】
【０００３】  カレンダーを見て、今月の予定及び計画を立てて行動するのは勿論のこと、来月の予定等を考えるとき、カレンダーをめくって来月のカレンダーを見なければならなかった。
【課題を解決するための手段】
【０００４】  各月暦を重複することにより常に当月及び翌月の２ヶ月を同時表示する。
【考案の効果】
【０００５】  何月何日でも常に今月と翌月を同時に表示することによって今月の行動等は勿論のこと来月の予定、計画等も容易に確認することができる。
【図面の簡単な説明】
【０００６】
【図１】  本考案の２ヶ月カレンダーの上下に表示する実例を示す図である。
【図２】  本考案の２ヶ月カレンダーの左右に表示する実例を示す図である。
【図１】
0003218036.tif 000003
【図２】
0003218036.tif 000004
【手続補正書】
【提出日】平成30年7月2日(2018.7.2)
【手続補正１】
【補正対象書類名】実用新案登録請求の範囲
【補正対象項目名】全文
【補正方法】変更
【補正の内容】
【実用新案登録請求の範囲】
【請求項１】
写真又は絵画等を掲載又は非掲載の紙面に上下又は左右に月暦を２ヶ月表示し常に各ページに当月及び翌月を重複して表示することで当月と翌月を常に、同一紙面上に表示することを特徴とする２ヶ月カレンダー。
(57)【要約】      （修正有）【課題】遺体安置から火葬まで、お棺の中でお供えできる納棺用造花を提供する。【解決手段】納棺用造花１は、お棺の中で冷凍・冷気に影響されることなく遺体に添えることが出来る、造花２にお経札３のついたものである。【選択図】図１
0003218038.tif 000002
【実用新案登録請求の範囲】
【請求項１】
お棺（５）の中で冷凍・冷気に影響されることなく遺体（４）に添えることが出来る、造花（２）にお経札（３）のついた納棺用造花。
【請求項２】
造花（２）の種類は蘭、椿、ダリアを含む請求１に記載の納棺用造花。
【考案の詳細な説明】
【技術分野】
【０００１】
本考案は遺体安置から火葬まで、お棺の中でお供えできる納棺用造花に関する。
【背景技術】
【０００２】
生花は低温冷気には耐えられないため、出棺直前に皆でお棺に手向ける生花を納棺花と呼んでいる。
【先行技術文献】
【特許文献】
【０００３】
【特許文献１】実用新案登録３２０７３３２号公報
【考案の概要】
【考案が解決しようとする課題】
【０００４】
従来は出棺直前でなければ生花を入れられなかった。そのためお棺の中のご遺体は無機質な白一色の姿で安置されている。悲しい時に遺族としては余計に寒々しさと寂しさを感じる。遺族にとって故人の成仏を願う思いがある。
【課題を解決するための手段】
【０００５】
本考案の納棺用造花は、お棺の中で冷凍・冷気に影響されることなく遺体に添えることが出来る、造花にお経札のついたものである。
【考案の効果】
【０００６】
造花はお棺内のドライアイスの冷凍・冷気にもしおれない。そのため遺体安置から火葬までの数日間、又事情によりどれだけ保存期間が延期されても花には影響がない。ずっとお棺の中で華やかに故人に寄り添う「最後の花束」となる。
【０００７】
また、葬儀会場のお花がさみしかったかもしれないと後悔した場合でもお棺の中の故人の胸元がいつも華やかであれば、遺族としては納得したり慰められたり、満足する事ができると思われる。さらに、造花にお経札がついているので念仏などの効果もある。
【図面の簡単な説明】
【０００８】
【図１】本考案の納棺用造花の実用例を示す図である。
【図２】お棺の中の遺体に納棺用造花を添えた図である。
【考案を実施するための形態】
【０００９】
本考案の納棺用造花の実施形態をについて以下、図１及び図２に基づいて説明する。図１に示した納棺用造花１は、お棺５の中で冷凍・冷気に影響される事なく、遺体４に添えることが出来る、アーテフィシャルフラワー（造花）２にお経札３が取り付けられている。アーテフィシャルフラワー２とは生花をリアルに再現し生花にはない美しさを表現している造花である。近年欧米はもとより日本でも大変注目されており過去の造花とは次元の違うほどクオリティも向上し、高い芸術性と耐久性で世界的に高い評価を受けている。
【００１０】
このアーテフィシャルフラワー２のアレンジメントは「紫蘭」「白椿」「ダリア」の３種類を用意しており、それぞれが欄、椿、ダリアの花に対応している。紫蘭は紫のイメージ、白椿は白のイメージ、ダリアはオレンジ系暖色のイメージなどカラーの個性を打ち出し、和・洋のタイプや花言葉由来の中から、生前の故人の好みや遺族の思いで選んでもらうことが出来る。
【００１１】
このアーテフィシャルフラワー２は火葬後の処理に影響しないように焼却可能な材料を使用する。そのためには花の軸を太い針金やワイヤー のない状態にする為に、オアシスに花弁の茎を出来るだけ短くさし込む半球体アレンジメントの形に辿りついた。
【００１２】
このアーテフィシャルフラワー２は生花の香りも感じられる工程として、液体の香り成分をスポイドで定着させてもよい。この香りは本来６ヶ月の持続性があり他の種類も存在するが、高貴な白檀の香りが最適である。
【００１３】
このアーテフィシャルフラワー２には、お経札３をセット出来るよう用意する。お経の種類は宗派別に「南無阿弥陀仏」と「南無妙法蓮華経」の２種類とし、和紙短冊に筆文字で仕上げる。お経札以外では故人の戒名を短冊に筆文字で仕上げることも可能である。アーテフィシャルフラワー２にリボンではなく、これらのお札（ふだ）にする事により故人の成仏を願い念じる思いを伝えることが出来る。
【符号の説明】
【００１４】
１  納棺用造花
２  アーテフィシャルフラワー（造花）
３  お経札
４  遺体
５  お棺（ひつぎ）
【図１】
0003218038.tif 000003
【図２】
0003218038.tif 000004
【手続補正書】
【提出日】平成30年7月11日(2018.7.11)
【手続補正１】
【補正対象書類名】実用新案登録請求の範囲
【補正対象項目名】全文
【補正方法】変更
【補正の内容】
【実用新案登録請求の範囲】
【請求項１】
お経札（３）の上に造花（２）を取り付けたことを特徴とする納棺用造花。      
【請求項２】
前記造花（２）は蘭、椿、ダリアのいずれかである請求項1に記載の納棺用造花。
(57)【要約】      （修正有）【課題】耐久性があり、万人の頭囲に確実に固定出来るインナーキャップを提供する。【解決手段】本考案は、インナーキャップ本体１内周面の下部に紐通し部２を設け、その紐通し部２全周に紐を通す。あらかじめ紐３の端には、面ファスナーのループ側、インナーキャップ本体側の背面部には、面ファスナーのフック側を縫製し、それらを結合して固定する。また、インナーキャップ本体１の面ファスナーフック側を余裕度のある長さにする事でサイズ調整可能な構造とする。また、面ファスナーは伸びることは無く、耐久性にも優れている。【選択図】図２
0003218468.tif 000002
【実用新案登録請求の範囲】
【請求項１】
頭部全体を覆うインナーキャップ本体内周面全体の下部に紐を通し、インナーキャップ本体の後頭部側に面ファスナーのループ側を、紐の端部にフック側をそれぞれ縫付け、紐を引っ張り、面ファスナーのループ側とフック側を結合し、サイズ調整を可能とした特徴を有するインナーキャップ。
【考案の詳細な説明】
【技術分野】
【０００１】本考案は、頭囲とインナーキャップを固定するのに好適なインナーキャップに関する。
【背景技術】
【０００２】従来のインナーキャップは、頭囲とインナーキャップを固定する方法として２つの方式がある。１つは、インナーキャップ裏側の数箇所にシリコンゴムを付けて前額部と密着させる事で固定する方式。もう一つは、後頭部側にゴム紐を付けて固定する方式である。
これら従来のインナーキャップは、次のような欠点がある。
まず、シリコンゴムを付ける方式は、シリコンゴムと前額部との密着で固定するが、汗やシリコンゴムの劣化により、着用時の密着度が損なわれ、インナーキャップを前額部に確実に固定する事が出来ない。
ゴム紐を付ける方式は、ゴム紐の劣化によりインナーキャップ本体内周面にサイズ変化が生じる事でフィット感が損なわれてしまい、頭囲に確実に固定する事が出来ない。
又、２つの方式ともに、サイズ調整機構が無い、あるいはあっても調整範囲が狭く、万人の頭囲に確実に固定させるには至らない方式である。
【考案の概要】
【考案が解決しようとする課題】
【０００３】耐久性があり、万人の頭囲に確実に固定出来るインナーキャップにするためにもサイズ調整可能な機構にする必要がある。
【課題を解決するための手段】
【０００４】本考案は、インナーキャップ本体内周面の下部に紐通し部を設け、その紐通し部全周に紐を通す。あらかじめ紐の端には、面ファスナーのループ側、インナーキャップ本体側の背面部には、面ファスナーのフック側を縫製し、それらを結合して固定する。また、インナーキャップ本体のフック側を余裕度のある長さにする事でサイズ調整可能な構造とする。また、面ファスナーは伸びることは無く、耐久性にも優れている。
【考案の効果】
【０００５】上述の様に本考案は、インナーキャップ下部全周域に紐を通し、その紐とインナーキャップ本体を面ファスナーで固定することで頭囲とインナーキャップを確実に固定でき、インナーキャップの脱落回避がはかられる。【０００６】面ファスナーを使用する事でサイズ調整が可能となり、万人に対応できるインナーキャップとなる。【０００７】面ファスナー自体の劣化による伸縮は無く、耐久性においても優れたものとなる。
【図面の簡単な説明】
【０００８】
【図１】インナーキャップ表面を外側にした前面図
【図２】インナーキャップ表面を外側にした背面図
【考案を実施するための形態】
【０００９】本考案は、インナーキャップ本体（１）下部に設けた紐通し部（２）に通してある紐（３）を引っ張り、紐の面ファスナー右側フック部（４）と本体の面ファスナー右側テープループ部（５）を結合、左側も同様に面ファスナー左側フック部（６）と本体面ファスナーループ部（７）を結合させる事で頭囲とインナーキャップを固定させる。面ファスナー右側ループ（５）面ファスナー左側ループ部（７）はサイズ調整可能となるように余裕度のある長さを持たせた仕様としている。
【符号の説明】
【００１０】１  インナーキャップ本体
２  紐通し部
３  紐
４  面ファスナー右側フック部
５  面ファスナー右側ループ部
６  面ファスナー左側フック部
７  面ファスナー左側ループ部
【図１】
0003218468.tif 000003
【図２】
0003218468.tif 000004
(57)【要約】      （修正有）【課題】固形糊を入れた円柱状のスティック糊容器において、糊を塗布した際の繰り出し量の調整を改良した容器を提供する。【解決手段】固形糊を入れた円柱状のスティック糊容器であって、糊の繰り出し口の先端の全周へ複数の切り込みを設け、糊を塗布した際に、その切り込みの横から糊がにじみ出るように仕向けた。【選択図】図１
0003218464.tif 000002
【実用新案登録請求の範囲】
【請求項１】
固形糊を入れた円柱状のスティック糊容器において、糊の繰り出し口の先端の全周へ複数の切り込みを設けた容器。
【考案の詳細な説明】
【技術分野】
【０００１】  この考案は固形糊を塗布するためのスティック糊容器に関するものである。
【背景技術】
【０００２】  紙などへ糊を塗布する際には、通常は円柱状の繰り出し式のスティック糊容器に入れた固形糊を用いているが、紙などの上へ塗布した時に、繰り出した糊の量が不足することが往々にあった。【０００３】  繰り出し量が足りなければ、改めて次なる為に糊を繰り出すところだが、ほんの少しだけ繰り出す際の量を測り兼ねる時が多かった。
【先行技術文献】
【０００４】
【特許文献】
【特許文献】登録実用新案広報    第３０４９９５２号
【考案の概要】
【考案が解決しようとする課題】
【０００５】  この様な微妙な量の糊の取り扱いについて、改善すべきどの様な方法が在るものかとの思いを廻らせた。
【課題を解決するための手段】
【０００６】  そこで、固形糊を入れた繰り出し式のスティック糊容器の繰り出し口の先端の形状を改良することとした。【０００７】  この繰り出し口の先端を単なる平面ではなく、先端の全周へ複数の切り込みを設けることとした。【０００８】  この様な容器を用いて糊を塗ったあとには、切り込みの横から少しばかりの糊があとを引くという表現の様ににじみ出てくるのである。
【考案の効果】
【０００９】  この後に、にじみ出た糊をもう一度、使うこととして、糊が不足している箇所へ塗りつけることした。【００１０】  切り込みの横からにじみ出てきた固形糊は塗り付けたい本来の箇所へ押し付けるように塗り付ければ、糊の繰り出しなどの為に手間を取られることが無くなった。
更に、この例での繰り出し口の形状は三角形を基本としているが、ハート型や木の葉型にすることにより、見た目にも柔らかく表現することができる。
【図面の簡単な説明】
【００１１】
【図１】固形糊を入れた円柱状のスティック糊容器において、繰り出し口の先端の全周へ複数の切り込みを設けた容器です。
【考案を実施するための形態】
【実施例】
【００１２】  固形糊を入れた円柱状のスティック糊容器の繰り出し口の先端の全周へ複数の切り込みを設ける
【符号の説明】
【００１３】  １    固形糊
２    切り込み
３    繰り出し口
４    スティック糊容器
【図１】
0003218464.tif 000003
(57)【要約】      （修正有） 【課題】着帽の調整がし易く、選択して着せ替えが可能で、転倒時、頭部を防護することができる安心ハットを提供する。【解決手段】セルロースナノファイバーで形成した頭部に装着する帽型１と帽型に附設する環状の鍔２を設け、頭周りのサイズを調整する第一ダイヤル式器具３と顎安全帯紐の長さを調整する第二ダイヤル式器具４を設け、さらに鍔と緩衝材入り安全帯と帽型との間に間隙を保って設けた網ネットとで頭部の衝撃を三重に防護する。また、帽型と鍔を覆う様に選択可能な着せ替え帽子を設け、巾着口に弾性材を入れ着脱自在とする。  【選択図】図１
0003218406.tif 000002
【実用新案登録請求の範囲】
【請求項１】
セルロースナノファイバーで形成した頭部に装着する帽型と帽型に附設する環状の鍔と帽型の下部内側周縁に設けた緩衝材入り安全帯及び帽型との間に間隙を保持させて内面に添装して設けた網ネットとで頭部を防護し、網ネットと安全帯とを一体化させてサイズ調整する第一ダイヤル式器具を帽子形の接合部右側と帽型に接合した顎安全帯紐を顎部分に設けて長さ調整する第二ダイヤル式具を帽子形の接合部左側の位置に設けて、帽子形の調節と着脱が早く簡単に出来ること及び頭部の衝撃を三重に防護することを特徴とする安心ハット。
【請求項２】
帽型と鍔を覆うように装着して使用する着脱自在な選択可能な着せ替え帽子を設けた請求項１記載の安心ハット。          
【考案の詳細な説明】
【技術分野】
【０００１】
本考案は事故や病気等による転倒時、頭部を防護する安心ハットに関するものである。
【背景技術】
【０００２】
従来の安全帽子はプラスチック製又は金属製の剛体であり硬質の外装で形成されて外部からの衝撃を遮断するものであるが、転倒時頭部の衝撃を防護する技術仕様には及んでいない。
【先行技術文献】
【特許文献】
【０００３】
【特許文献１】実開平０６−０８６５０９号公報
【考案の概要】
【考案が解決しようとする課題】
【０００４】
従来の安全帽子は緩衝材や硬質の外装で形成されているが頭部の防護には不向きの技術仕様であり、着帽に手間がかかり、帽子は重く形状色彩が単一的で、取替えや選ぶ事の出来ない不自由さがあった。
【０００５】
本考案は以上のような従来の問題に鑑み、軽く衝撃に強い素材で、着帽が簡単に出来、色彩豊かな選べる着せ替え帽子数種類を備え、鍔や網ネット等で頭部防護を図ることにより前述の問題を解決しようとするものである。
【課題を解決するための手段】
【０００６】
本考案は素材が軽く衝撃に強くて製造し易いセルロースナノファイバーで形成した頭部に装着する帽型１と帽型１に附設する環状の鍔２を設け、以下帽子形と記述する。緩衝材入り安全帯５を帽型１の下部内側周縁に設け、帽型１との間に間隙を保持させて内面に添装して設けた網ネット７と一体化させた安全帯５とのサイズ調整する第一ダイヤル式器具３を設け、帽型１に接合した顎安全帯紐６を顎部分に設けて長さ調整する第二ダイヤル式器具４を設け更に色彩豊かな数種類の選べる着せ替え帽子８を設けて問題点を解決している。
【考案の効果】
【０００７】
上述の様に、本考案は次に列挙する効果が得られる。
（１）鍔で頭部全体の防護が出来る。
（２）着帽のサイズ調整と顎安全帯紐の長さ調整が早く簡単に出来る。
（３）安全帯と網ネットで頭部の衝撃が軽減される。
（４）着脱容易な着せ替え帽子で数種類の帽子が選択可能。
以上のように(1)から（４）と同様な効果が得られる。
【図面の簡単な説明】
【０００８】
【図１】帽型１に附設する環状の鍔２を設けた状況と第一ダイヤル式器具３と第二ダイヤル式器具４を設けた状況を示す側面図である。
【図２】安全帯５と顎安全帯紐６を設けた状況を示す断面図である。
【図３】安全帯５と網ネット７の内部の状況を示す平面図である。
【図４】着せ替え帽子８を帽子形に被せた状況を示す断面図である。
【考案を実施するための形態】
【０００９】
セルロースナノファイバーで形成された頭部に装着する帽型１と帽型１に附設する環状の鍔２を設け帽型１の下部内側周縁に緩衝材を入れた安全帯５と帽型１との間に間隙を保持させて内面に添装して設けた網ネット７とで頭部を防護出来る様に設ける。
【００１０】
網ネット７と安全帯５とを一体化しサイズ調整する第一ダイヤル式器具３を帽子形の接合部右側に設ける。  
【００１１】
帽型１に接合して顎安全帯紐６を顎部分に設け、長さ調整する第二ダイヤル式器具４を帽子形の接合部左側に設ける。
【００１２】
布製で帽子形の大きさに形成された着せ替え帽子８の巾着口に弾性材
を入れて着脱が簡単に出来るようにし、更に色彩豊かな選べる着せ替え帽子数種類を設ける。
【実施例】
【００１３】
以下添付図面に従って実施例を説明する。１はセルロースナノファイバー素材で形成された帽型、２は同素材で形成された帽型１に附設された環状の幅３０から３５ｃｍの鍔。３は帽子形の接合部右側に設けた第一ダイヤル式器具。４は同場所の左側に設けた第二ダイヤル式器具。５は帽型１下部内側周縁に設けた幅３から５ｃｍの安全帯。６は帽型１と接合し顎部分に設けた幅２から３ｃｍの顎安全帯紐。７は安全帯５と一体化して設けた網ネット。８は布製で帽子形の大きさに形成された着せ替え帽子。
【００１４】
鍔２の凸部と緩衝材入りの安全帯５の緩衝材と更に帽型１内側との間に間隙を保ち、内面に添装して設けた網ネット７の間隙とで頭部の衝撃を三重に防護出来る。
【００１５】
安全帯５と一体化した網ネット７とのサイズ調整する第一ダイヤル式器具３の撮み部を操作し簡単に調節が出来る。
【００１６】
帽型１に接合した顎安全帯紐６の長さ調整する第二ダイヤル式器具４の撮み部を操作し簡単に調節が出来る。
【００１７】
着せ替え帽子８の巾着口に弾性材を入れ伸縮自在とし、巾着口を開いて帽子形に装着するだけの手間で着せ替えが簡単に出来、更に色彩豊かな選べる着せ替え帽子数種類を設ける。
【産業上の利用可能性】
【００１８】
安価で製造され易く、着帽の取扱いが簡単で着せ替えも容易に出来、誰でもが利用し易い。高齢者等の事故も多くあり更に利用度は高まる。老人ホームや各種産業での利用も高まり、素材にセルロースナノファイバーを使用しているので環境衛生的にも広がりがある。
【符号の説明】
【００１９】
１    帽型
２    鍔
３    第一ダイヤル式器具
４    第二ダイヤル式器具
５    安全帯
６    顎安全帯紐
７    網ネット
８    着せ替え帽子
【図１】
0003218406.tif 000003
【図２】
0003218406.tif 000004
【図３】
0003218406.tif 000005
【図４】
0003218406.tif 000006